(57)【要約】【課題】  逆流防止シャッターに起因する冷却ファンの冷却能力の低下を少なくし、しかも複数台の冷却ファンのうちの一部の冷却ファンが停止した場合においても被冷却対象の冷却領域が極力均一に冷却されるようにする。【解決手段】  逆流防止シャッタ−１２ab，１２bcは、隣接する冷却ファンが何れも動作している場合は当該隣接する冷却ファンに生起される冷却風Ｗａ，Ｗｂ，Ｗｃと平行をなし、当該隣接する冷却ファンの何れか一の停止時は動作中の冷却ファンに生起される冷却風の力によって枢動し前記停止冷却ファン側に傾斜して前記動作中の冷却ファンに生起される冷却風の上流側から下流側へ面積が漸次拡大する冷却風路を形成する動作をする。【選択図】  図１
2006165312.tif 000002
【特許請求の範囲】
【請求項１】
被冷却対象への冷却風路内に隣接して配設され夫々ほぼ平行な同方向の冷却風を生起する複数台の冷却ファン、
および前記冷却風路内における前記隣接する冷却ファンの間に当該冷却ファン側が枢着された逆流防止シャッタ−を備え、
前記逆流防止シャッタ−は、前記隣接する冷却ファンが何れも動作している場合は当該隣接する冷却ファンに生起される冷却風と平行をなし、当該隣接する冷却ファンの何れか一の停止時は動作中の冷却ファンに生起される冷却風の力によって枢動し前記停止冷却ファン側に傾斜して前記動作中の冷却ファンに生起される冷却風の上流側から下流側へ面積が漸次拡大する冷却風路を形成する動作をする
冷却装置。
【請求項２】
請求項１に記載の冷却装置において、
前記逆流防止シャッタ−の重心を、前記枢動中心より前記冷却風の下流側とした
ことを特徴とする冷却装置。
【請求項３】
請求項１に記載の冷却装置において、
前記逆流防止シャッタ−の重心を、その枢動中心より前記冷却風の上流側とした
ことを特徴とする冷却装置。
【請求項４】
請求項１に記載の冷却装置において、
前記逆流防止シャッタ−は、前記隣接する冷却ファンが何れも動作している場合は、当該隣接する冷却ファンに生起される冷却風と、重力によって平行をなし、
当該隣接する冷却ファンの何れか一が停止している場合は動作中の冷却ファンに生起される冷却風が、前記重力に抗して前記逆流防止シャッタ−を枢動させる
ことを特徴とする冷却装置。
【請求項５】
請求項１に記載の冷却装置において、
前記逆流防止シャッタ−は、前記隣接する冷却ファンが何れも動作している場合は、当該隣接する冷却ファンに生起される冷却風と、動力によって平行をなし、
当該隣接する冷却ファンの何れか一が停止している場合は、動作中の冷却ファンに生起される冷却風が、前記動力に抗して前記逆流防止シャッタ−を枢動させる
ことを特徴とする冷却装置。
【請求項６】
請求項１〜請求項５の何れかに一に記載の冷却装置において、
前記逆流防止シャッタ−は、前記隣接する冷却ファンの側の面に凹凸を有している
ことを特徴とする冷却装置。
【請求項７】
請求項１〜請求項６の何れかに一に記載の冷却装置において、
前記逆流防止シャッタ−の前記枢動による前記傾斜の角度がストッパ−により制限される
ことを特徴とする冷却装置。
【請求項８】
請求項１〜請求項７の何れかに一に記載の冷却装置において、
前記逆流防止シャッタ−の前記冷却風と平行をなす方向の長さは、前記隣接する冷却ファンから前記被冷却対象までの距離より短く、前記隣接する冷却ファンの前記冷却風と直角をなす方向の長さより長いことを特徴とする冷却装置。
【発明の詳細な説明】
【技術分野】
【０００１】
この発明は、例えば電子機器等の被冷却対象を冷却する冷却装置に関するものである。
【背景技術】
【０００２】
従来、冷却風路内に隣接して配設され夫々ほぼ平行な同方向の冷却風を生起する複数台の冷却ファンを有する冷却装置は、例えば特開２００３−１３０４３９号公報（特許文献１）に見られるように、各冷却ファンの出力側に個別に配置された各逆流防止シャッターが、作動中の対応冷却ファンの風力によって出力風の方向と平行な状態に開き、冷却ファンの停止時には出力方向と略垂直な状態に閉まるように構成されている。
【０００３】
【特許文献１】特開２００３−１３０４３９号公報（図１〜８及びその説明）
【発明の開示】
【発明が解決しようとする課題】
【０００４】
従来の冷却装置は前述のように構成されているため、冷却ファンが作動している時にはその出力である冷却風の風力の一部を常に逆流防止シャッターを開けるために振り向ける必要があり、冷却ファン単独（つまり、逆流防止シャッターを設けてない状態）よりも出力冷却風の風量が低下し、電子機器等の被冷却対象を冷却する能力が落ちるという問題点があった。
【０００５】
また、複数台の冷却ファンのうちの一部の冷却ファンが故障等により停止した場合には、停止した冷却ファンの逆流防止シャッターが出力冷却風の方向とほぼ垂直な状態に閉まるために、動作中の冷却ファンの出力冷却風が前記停止した冷却ファンの出力側に流れにくく、被冷却対象を均一に冷却できなくなるという問題点があった。この被冷却対象を均一に冷却できなくなるという問題点を、３個の冷却ファンが並列に配設されている場合について図１０により説明する。
【０００６】
即ち、図１０は、３個の冷却ファン１１ａ，１１ｂ，１１ｃから冷却風の下流側に所定距離隔てた被冷却対象の冷却領域における冷却風量を、中央の冷却ファン１１ｂが停止しその両側の冷却ファン１１ａ，１１ｃが動作中の場合について例示したものである。この図１０に示してあるように、被冷却対象の一点鎖線で示す冷却領域ＣＡにおいて、動作中の冷却ファン１１ａ，１１ｃ（逆流防止シャッター１２ａ，１２ａ，１２ｃ，１２ｃが開いている）の直下流部分に比べ、停止中の冷却ファン１１ｂ（逆流防止シャッター１２ｂ，１２ｂが閉じている）の直下流部分は、冷却風量Ｐｗが可成り少なくなるので、冷却領域が均一に冷却されなくなる。なお、矢印は、冷却領域ＣＡにおける等間隔の多数の点の各々での冷却風の方向と冷却風量とをベクトル的に例示したもので、冷却風量が大きいほど矢印の長さを長くしてあり、これら多数の矢印の各先端を結ぶ二点鎖線が前記冷却風量Ｐｗである。
【０００７】
従って、冷却風路内に隣接して配設され夫々ほぼ平行な同方向の冷却風を生起する複数台の冷却ファンを有する冷却装置においては、逆流防止シャッターを設けた場合、逆流防止シャッターに起因する前記冷却能力の低下を少なくするようにすることが好ましい。また、複数台の冷却ファンのうちの一部の冷却ファンが故障等により停止した場合においても、被冷却対象の冷却領域が極力均一に冷却されるようにすることが好ましい。
【０００８】
この発明は、前述のような実情に鑑みてなされたもので、冷却風路内に隣接して配設され夫々ほぼ平行な同方向の冷却風を生起する複数台の冷却ファンを有する冷却装置において、逆流防止シャッターに起因する冷却ファンの冷却能力の低下を少なくし、しかも複数台の冷却ファンのうちの一部の冷却ファンが停止した場合においても被冷却対象の冷却領域が極力均一に冷却されるようにすることを目的とするものである。
【課題を解決するための手段】
【０００９】
この発明に係る冷却装置は、被冷却対象への冷却風路内に隣接して配設され夫々ほぼ平行な同方向の冷却風を生起する複数台の冷却ファン、および前記冷却風路内における前記隣接する冷却ファンの間に当該冷却ファン側が枢着された逆流防止シャッタ−を備え、前記逆流防止シャッタ−は、前記隣接する冷却ファンが何れも動作している場合は当該隣接する冷却ファンに生起される冷却風と平行をなし、当該隣接する冷却ファンの何れか一の停止時は動作中の冷却ファンに生起される冷却風の力によって枢動し前記停止冷却ファン側に傾斜して前記動作中の冷却ファンに生起される冷却風の上流側から下流側へ面積が漸次拡大する冷却風路を形成する動作をするものである。
【発明の効果】
【００１０】
この発明は、被冷却対象への冷却風路内に隣接して配設され夫々ほぼ平行な同方向の冷却風を生起する複数台の冷却ファン、および前記冷却風路内における前記隣接する冷却ファンの間に当該冷却ファン側が枢着された逆流防止シャッタ−を備え、前記逆流防止シャッタ−は、前記隣接する冷却ファンが何れも動作している場合は当該隣接する冷却ファンに生起される冷却風と平行をなし、当該隣接する冷却ファンの何れか一の停止時は動作中の冷却ファンに生起される冷却風の力によって枢動し前記停止冷却ファン側に傾斜して前記動作中の冷却ファンに生起される冷却風の上流側から下流側へ面積が漸次拡大する冷却風路を形成する動作をするようにしたので、冷却風路内に隣接して配設され夫々ほぼ平行な同方向の冷却風を生起する複数台の冷却ファンを有する冷却装置において、逆流防止シャッターに起因する冷却ファンの冷却能力の低下を少なくし、しかも複数台の冷却ファンのうちの一部の冷却ファンが停止した場合においても被冷却対象の冷却領域が極力均一に冷却されるようにすることができる効果がある。
【発明を実施するための最良の形態】
【００１１】
実施の形態１．
以下この発明の実施の形態１を図１〜図４により説明する。図１は夫々ほぼ平行な同方向の冷却風を生起する３台（複数台）の冷却ファンが電子機器等の被冷却対象に取り付けられた状態の冷却装置の事例を正面側から見た斜視図、図２は図１に示される３台の冷却ファンが全て動作している場合の逆流防止シャッタ−の状態を示す正面図、図３は図１に示される３台の冷却ファンのうち中央の１台が停止し両側の２台が動作している場合の逆流防止シャッタ−の状態を示す正面図、図４は図２に示される冷却装置を鉛直方向下側から見た平面図である。なお、各図中、同一符合は同一部分を示す。
【００１２】
図１において、冷却装置１は、３台（複数台）の軸流式の冷却ファン１１ａ，１１ｂ，１１ｃと、逆流防止シャッタ−１２ab，１２bcと、ストッパ−１３と、通風ダクト１４とから構成されている。前記冷却装置１は、電子機器等の被冷却対象２の外箱２１に取り付けられ、当該外箱２１内の発熱電子機器（図示省略）に熱的に結合された放熱フィン２２を冷却する冷却風を発生する。
【００１３】
前記冷却ファン１１ａ，１１ｂ，１１ｃは、前記放熱フィン２２の羅列方向と同方向に羅列して隣接して配設され夫々ほぼ平行な同方向の冷却風を生起する。前記隣接した冷却ファン１１ａ，１１ｂ，１１ｃの外壁面は、相隣る冷却ファンの外壁面との間に隙間が実質的に生じないように隣接し、また、前記通風ダクト１４内に形成された冷却風路１４１の内壁面１４２との間に隙間が実質的に生じないように前記冷却風路１４１の内壁面１４２に面した状態に、前記冷却ファン１１ａ，１１ｂ，１１ｃは、前記通風ダクト１４内に配設され固定される。なお、前記冷却ファン１１ａ，１１ｂ，１１ｃの各々は、図１の事例では、前記放熱フィン２２の鉛直方向真上に配設され、その出力冷却風は何れも前記放熱フィン２２の方向へ向けて鉛直方向下向きに生起する。
【００１４】
前記逆流防止シャッタ−１２ab，１２bcは、何れも矩形板状部１２１と、当該矩形板状部１２１の枢動中心となる軸１２２とで構成されている。前記逆流防止シャッタ−１２ab，１２bcの矩形板状部１２１は、何れもその両側の側面に、前記冷却ファン１１ａ，１１ｂ，１１ｃの出力冷却風の風力を受け易くする凹凸が形成されるように、前記冷却ファン１１ａ，１１ｂ，１１ｃの出力冷却風とほぼ直交する相離間した棒状の突起部1211，1212を有している。前記逆流防止シャッタ−１２ab，１２bcの軸１２２は、何れも対応する前期矩形板状部１２１の鉛直方向上端部（換言すれば前記冷却ファン１１ａ，１１ｂ，１１ｃ側の端部）に一体に設けられ、前記被冷却対象２に設けられた軸受２３に内端側が支承されている。
【００１５】
前記軸受２３に前記軸１２２を介して可枢動に支承された前記逆流防止シャッタ−１２abは、その軸１２２が、前記冷却ファン１１ａ，１１ｂ間に両冷却ファン１１ａ，１１ｂに近接して配設されている。この構成により、前記逆流防止シャッタ−１２abの重心を、前記枢動の中心より前記冷却風の下流側としてある。
【００１６】
前記軸受２３に前記軸１２２を介して可枢動に支承された前記逆流防止シャッタ−１２bcは、その軸１２２が、前記冷却ファン１１ｂ，１１ｃ間に両冷却ファン１１ｂ，１１ｃに近接して配設されている。この構成により、前記逆流防止シャッタ−１２bcの重心を、前記枢動の中心より前記冷却風の下流側としてある。
【００１７】
前記逆流防止シャッタ−１２ab，１２bcは何れも、前述の構成により、定常時は常時、図１および図２に示すように、重力により前記軸受２３を支点に鉛直方向下方に（前記各冷却ファン１１ａ，１１ｂ，１１ｃによって生起される各冷却風の方向Ｗａ，Ｗｂ，Ｗｃと平行に）、前記軸１２２が上側（前記冷却風の上流側）および前記矩形板状部１２１が下側（前記冷却風の下流側）の状態で、垂下している。
【００１８】
前記ストッパ−１３は、前記垂下状態の前記逆流防止シャッタ−１２ab，１２bc間の中央で且つ各前記矩形板状部１２１の先端部（前記冷却風の下流側の端部）に対向した位置に配設され前記被冷却対象２側に固定されている。
【００１９】
前記通風ダクト１４は、前記被冷却対象２の外箱２１に取り付けられ、その鉛直方向上端部（前記冷却風の上流側の端部）に空気吸込口１４３（前記冷却風路１４１の入り口）を、鉛直方向下端部（前記冷却風の下流側の端部）に空気吹出口１４４（前記冷却風路１４１の入り口）を、それぞれ有している。
【００２０】
前記外箱２１内の発熱電子機器（図示省略）に熱的に結合された前記放熱フィン２２は、前記冷却ファン１１ａ，１１ｂによって生起される冷却風により冷却される冷却領域ＣＡであり、その冷却風上流側端ＣＡＥは、前記垂下状態の前記逆流防止シャッタ−１２ab，１２bcの各矩形板状部１２１の先端部（前記冷却風の下流側の端部）から所定距離Ｌ１だけ前記冷却風の下流側に離れた位置に在る（図２参照）。
【００２１】
前記逆流防止シャッタ−１２ab，１２bcの前記冷却風が流れる方向（鉛直方向）の長さＬ２と前記各冷却ファン１１ａ，１１ｂ，１１ｃの前記冷却風と直交する方向の長さＬ３との関係は、Ｌ２＞Ｌ３としてある（図２参照）。
【００２２】
次に、図２および図３によって動作の説明をする。
【００２３】
図２は冷却ファン１１ａ，１１ｂ，１１ｃが何れも正常動作している状態（定常時）における逆流防止シャッタ−１２ab，１２bcの状態を示してある。この定常時の状態においては、図示のように逆流防止シャッタ−１２ab，１２bcは何れも、その重心を、その枢動中心より前記冷却風の下流側としてあるので、重力により軸受２３を支点に鉛直方向下方に（各冷却ファン１１ａ，１１ｂ，１１ｃによって生起される各冷却風の方向Ｗａ，Ｗｂ，Ｗｃと平行に）、前記軸１２２が上側（冷却風の上流側）および矩形板状部１２１が下側（冷却風の下流側）の状態で、垂下している。
【００２４】
逆流防止シャッタ−１２ab，１２bcの状態は、その重心を、その枢動中心より前記冷却風の下流側としてあるので、冷却ファン１１ａ，１１ｂ，１１ｃの運転開始前（定常時）や、定期点検時の冷却ファン１１ａ，１１ｂ，１１ｃの運転停止時（定常時）においても、図２に示すように、前述と同じく、重力により軸受２３を支点に鉛直方向下方に（各冷却ファン１１ａ，１１ｂ，１１ｃによって生起される各冷却風の方向Ｗａ，Ｗｂ，Ｗｃと平行に）、前記軸１２２が上側（冷却風の上流側）および矩形板状部１２１が下側（冷却風の下流側）の状態で、垂下している。換言すれば、逆流防止シャッタ−１２ab，１２bcは、自力開放機能を持たせる構成にしてある。
【００２５】
前述のように、逆流防止シャッタ−１２ab，１２bcの状態は、冷却ファン１１ａ，１１ｂ，１１ｃの運転開始前（定常時）や、定期点検時の冷却ファン１１ａ，１１ｂ，１１ｃの運転停止時（定常時）においても、図２に示すように、前述と同じく、重力により軸受２３を支点に鉛直方向下方に（各冷却ファン１１ａ，１１ｂ，１１ｃによって生起される各冷却風の方向Ｗａ，Ｗｂ，Ｗｃと平行に）、前記軸１２２が上側（冷却風の上流側）および矩形板状部１２１が下側（冷却風の下流側）の状態で垂下しているので、冷却ファン１１ａ，１１ｂ，１１ｃの定常運転時においては、冷却ファン１１ａ，１１ｂ，１１ｃによって生起される各冷却風は、その風力で逆流防止シャッタ−１２ab，１２bcを開く必要がない。従って、前述の図１０に例示した従来装置に比べ改善されて、冷却領域ＣＡ（図１における放熱フィン２２の占有領域）の冷却風上流側端ＣＡＥの全域に亘って、各冷却ファン１１ａ，１１ｂ，１１ｃによって生起される各冷却風の方向と冷却風量Ｐｗは、矢印で示してあるように殆ど同じであり、しかも、当該冷却風量Ｐｗは、逆流防止シャッタ−１２ab，１２bcが無い状態の場合と殆ど同じである。従って、逆流防止シャッターに起因する冷却ファンの冷却能力の低下を、図１０に例示した従来装置に比べて極めて僅少に抑えることができ、効率的に冷却領域ＣＡ（図１の放熱フィン２２）を冷却できる。なお、前述の図２および後述の図３における各冷却風の方向と冷却風量Ｐｗは、図１０と同様にベクトル量として矢印で図示してある。
【００２６】
図３は冷却ファン１１ａ，１１ｂ，１１ｃのうち中央の冷却ファン１１ｂが停止し両端の冷却ファン１１ａ，１１ｃが何れも正常動作している状態（非定常時）における逆流防止シャッタ−１２ab，１２bcの状態を示してある。このような非定常時の状態下では、停止中の中央の冷却ファン１１ｂによる冷却風の風量は０となるので、動作中の前記両端の冷却ファン１１ａ，１１ｃによって生起されている冷却風が逆流防止シャッタ−１２ab，１２bcの突起部1211，1212を停止中の中央の冷却ファン１１ｂ側に押し、停止中の中央の冷却ファン１１ｂ側からは冷却風が突起部1211，1212を押さなくなる。従って、逆流防止シャッタ−１２ab，１２bcが軸受２３中心を支点にして枢動し、停止冷却ファン１１ｂ側に傾斜して、図３に示すように動作中の冷却ファン１１ａ，１１ｃによって生起される冷却風の上流側から下流側へ面積が漸次拡大する冷却風路を、動作中の冷却ファン１１ａ，１１ｃの各々の下流側に形成する。この場合、軸受２３中心を支点にして枢動して傾斜する逆流防止シャッタ−１２ab，１２bcは、何れもその先端部（冷却風下流側の端部）がストッパ−１３に当接し、当該当接により前記枢動による前記傾斜の角度がストッパ−１３により制限される。換言すれば、動作中の冷却ファン１１ａ，１１ｃによって生起される各冷却風の風力に多少強弱があっても、各逆流防止シャッタ−１２ab，１２bcの前記傾斜の角度θab，θbcは、ストッパ−１３によって、同じ角度に保たれる。これにより、各逆流防止シャッタ−１２ab，１２bcは、動作中の冷却ファン１１ａ，１１ｃから停止した冷却ファン１１ｂへの冷却風の逆流Ｒｗを抑えるとともに、作動中の冷却ファン１１ａ，１１ｃが出力した冷却風Ｗａ，Ｗｃを、停止した冷却ファン１１ｂの出力側の下流に向けて前記傾斜に沿って導き、各逆流防止シャッタ−１２ab，１２bcの下流側端部から冷却風の方向に所定距離Ｌ１離間した位置の冷却領域（図１の放熱器２）の冷却風上流側端の全域に亘って均一な空気の流れ（前記ベクトル量である矢印）Ｐｗを作り、冷却領域（図１の放熱器２）を均一に冷却することができる。
【００２７】
この発明の実施の形態１によれば、前述のように、被冷却対象２への冷却風路１４１内に隣接して配設され夫々ほぼ平行な同方向の冷却風を生起する複数台の冷却ファン１１ａ，１１ｂ，１１ｃおよび前記冷却風路１４１内における前記隣接する冷却ファンの間に当該冷却ファン側が枢着された逆流防止シャッタ−１２ab，１２bcを備え、前記逆流防止シャッタ−１２ab，１２bcは、前記隣接する冷却ファンが双方（冷却ファン１１ａと１１ｂ、あるいは冷却ファン１１ｂと１１ｃ）とも動作している場合は当該隣接する冷却ファンに生起される冷却風と平行をなし、当該隣接する冷却ファンの何れか一方の停止時は動作中の冷却ファンに生起される冷却風の力によって枢動し前記停止冷却ファン側に傾斜して前記動作中の冷却ファンに生起される冷却風の上流側から下流側へ面積が漸次拡大する冷却風路を形成する動作をする。従って、定常時には逆流防止シャッタ−１２ab，１２bcは、自力で開放し、冷却ファン１１ａ，１１ｂ，１１ｃの出力冷却風の風力を開放に利用しないので、冷却ファンの冷却能力の低下を少なくし、しかも複数台の冷却ファンのうちの一部の冷却ファンが停止した場合においても被冷却対象の冷却領域が極力均一に冷却されるようにすることができる。
【００２８】
また、この発明の実施の形態１によれば、前述のように、逆流防止シャッタ−１２ab，１２bcの重心を、逆流防止シャッタ−１２ab，１２bcの枢動中心より冷却風の下流側としたので、例えばバネ等の動力を使用しなくても、逆流防止シャッタ−１２ab，１２bcは定常時に自力で開放する。
【００２９】
また、この発明の実施の形態１によれば、前述のように、前記逆流防止シャッタ−１２ab，１２bcは、前記隣接する冷却ファンが双方（冷却ファン１１ａと１１ｂ、あるいは冷却ファン１１ｂと１１ｃ）とも動作している場合は、当該隣接する冷却ファンに生起される冷却風と、重力によって平行をなし、当該隣接する冷却ファンの何れか一方が停止している場合は動作中の冷却ファンに生起される冷却風が、前記重力に抗して前記逆流防止シャッタ−１２ab，１２bcを枢動させるので、故障等により冷却ファンの何れか一方が停止している場合は殆ど無いことから、冷却ファン１１ａ，１１ｂ，１１ｃに生起される冷却風を、非冷却対象２の冷却に極めて効率的に利用することができる。
【００３０】
また、この発明の実施の形態１によれば、前述のように、前記逆流防止シャッタ−１２ab，１２bcは、隣接する冷却ファンの側の面に突起部1211，1212で形成された凹凸を有しているので、冷却ファンの何れか一方が停止した場合、動作中の冷却ファンの出力冷却風により、早く確実に枢動し、早く確実に停止冷却ファンの側へ傾斜し、非冷却対象２の均一冷却を、冷却ファンの何れか一方の停止直後も確実に継続できる。
【００３１】
また、この発明の実施の形態１によれば、前述のように、前記逆流防止シャッタ−１２ab，１２bcの下流側中間部にストッパ−１３を設け、前記逆流防止シャッタ−１２ab，１２bcの前記枢動による傾斜の角度θab，θbcが当該ストッパ−１３により制限されるようにしてあるので、停止冷却ファンの両側の冷却ファンの出力冷却風の強さに多少の差異があっても、各逆流防止シャッタ−１２ab，１２bcの前記傾斜の角度θab，θbcを同じにすることができ、従って、一の冷却ファンが停止しても非冷却対象２の均一冷却を保持できる。
【００３２】
また、この発明の実施の形態１によれば、前記逆流防止シャッタ−１２ab，１２bcの前記冷却風と平行をなす方向の長さＬ２は、前記隣接する冷却ファンから前記被冷却対象までの距離（Ｌ１＋Ｌ２＋α）より短く、前記隣接する冷却ファンの前記冷却風と直角をなす方向の長さＬ３より長い構成としてあり、このような構成により、冷却ファン１１ａ，１１ｂ，１１ｃの何れの冷却ファンが停止しても、動作中の冷却ファンから停止冷却ファンへの冷却風の逆流を防止でき、しかも非冷却対象２の均一冷却を保持できる。
【００３３】
即ち、前述の説明では、中央の冷却ファン１１ｂが停止した場合について例示したが、例えば、冷却ファン１１ａが停止した場合は、前述の中央の冷却ファン１１ｂが停止した場合と同じ原理で、前記逆流防止シャッタ−１２abが、前記通風ダクト１４の前記逆流防止シャッタ−１２ab側の内壁面１４２ａに当接する方向に枢動して該内壁面１４２ａに当接あるいは当接に近い状態になり、動作中の冷却ファン１１ｂ，１１ｃから冷却ファン１１ａへの逆流は防止され、更に、他の逆流防止シャッタ−１２bcは整流板の機能を呈し、動作中の冷却ファン１１ｂ，１１ｃによる非冷却対象２の均一冷却が保持される。
【００３４】
同様に、冷却ファン１１ｃが停止した場合も、前述の反対側の冷却ファン１１ａが停止した場合と同じ原理で、前記逆流防止シャッタ−１２bcが、前記通風ダクト１４の前記逆流防止シャッタ−１２bc側の内壁面１４２ｃに当接する方向に枢動して該内壁面１４２ｃに当接あるいは当接に近い状態になり、動作中の冷却ファン１１ａ，１１ｂから冷却ファン１１ｃへの逆流は防止され、更に、他の逆流防止シャッタ−１２abは整流板の機能を呈し、動作中の冷却ファン１１ａ，１１ｂによる非冷却対象２の均一冷却が保持される。
【００３５】
なお、前記内壁面１４２ａ，１４２ｃは、図示のように前記逆流防止シャッタ−１２ab，１２bcの枢動平面と略垂直に交わり且つ冷却風と略平行を成す面である。
【００３６】
実施の形態２．
前述の図１〜図４においては、軸受２３およびストッパ−１３を非冷却対象２側に取り付けた場合を例示したが、図５に示すように、軸受２３およびストッパ−１３を通風ダクト１４側に取り付けても、前述の図１〜図４と同じ効果を奏する。また、図５の構成の場合は、冷却ファン１１ａ，１１ｂ，１１ｃも通風ダクト１４側に取り付ける構成とすることにより、冷却装置の組み立てを、通風ダクト１４を含めて冷却装置側だけで行うことができ、前述の図１〜図４の構成の場合に比べて、組立工程を簡略化できる。なお、この発明の実施の形態２を例示する図５においては、前述の軸受２３およびストッパ−１３の取り付け形態以外の構成は、前述の図１〜図４と同じであり、従って、図５については、代表的な部品だけに図１〜図４と同一または相当部分に同一符号を付し、説明を割愛する。
【００３７】
実施の形態３．
前述の図１〜図５の事例は何れも、冷却ファン１１ａ，１１ｂ，１１ｃの出力冷却風の方向を鉛直方向の下向きにし、冷却ファン１１ａ，１１ｂ，１１ｃの鉛直方向の下側に逆流防止シャッタ−１２ab，１２bcを配設した場合を例示したが、図６および図７に例示してあるように、逆流防止シャッタ−１２ab，１２bcに、軸１２２より冷却ファン１１ａ，１１ｂ，１１ｃ側（冷却風上流側）に位置して、矩形板状部１２１よりわずかに質量が大きいウェイト１２３を設けて逆流防止シャッタ−１２ab，１２bcの重心を、その枢動中心より前記冷却風の上流側とすれば、冷却ファン１１ａ，１１ｂ，１１ｃの出力冷却風の方向を鉛直方向の上向きにし、冷却ファン１１ａ，１１ｂ，１１ｃの鉛直方向の上側に逆流防止シャッタ−１２ab，１２bcを配設する構成とすることができる。
【００３８】
換言すれば、前述の図１〜図５の事例は何れも、冷却装置１は、冷却装置より鉛直方向の下側にある被冷却対象を冷却する場合に適するが、この発明の実施の形態３を例示する図６および図７では、冷却装置１は、冷却装置より鉛直方向の上側にある被冷却対象を冷却する場合に適する。
【００３９】
この発明の実施の形態３においては、前述のように、ウェイト１２３を設けて逆流防止シャッタ−１２ab，１２bcの重心をその枢動中心より前記冷却風の上流側としてあるので、前述の定常時には、重力により図６に示すように逆流防止シャッタ−１２ab，１２bcは何れも鉛直方向上向きになる。また、この発明の実施の形態３の場合も、前述のこの発明の実施の形態１の事例と同様に、中央の冷却ファン１１ｂが故障等により停止し、両端の冷却ファン１１ａ，１１ｃが作動中である場合は、前述のこの発明の実施の形態１の事例の場合と同じ原理、作用、動作をし、逆流防止シャッタ−１２ab，１２bcは、前述のこの発明の実施の形態１の事例の場合と実質的に同じ図６に示す状態となり、前述のこの発明の実施の形態１と同じ効果が得られる。
【００４０】
なお、この発明の実施の形態３を例示する図６および図７においては、前述の逆流防止シャッタ−１２ab，１２bcの構成、および前述の冷却ファン１１ａ，１１ｂ，１１ｃと逆流防止シャッタ−１２ab，１２bcと被冷却対象との相対的な配置関係以外の構成は、前述の図１〜図４と同じであり、従って、図６および図７については、代表的な部品だけに図１〜図４と同一または相当部分に同一符号を付し、説明を割愛する。
【００４１】
実施の形態４．
前述の図１〜図５の事例は何れも、冷却ファン１１ａ，１１ｂ，１１ｃの出力冷却風の方向を鉛直方向の下向きにし、前述の図６および図７の事例は冷却ファン１１ａ，１１ｂ，１１ｃの出力冷却風の方向を鉛直方向の上向きにした場合を例示してあるが、図８および図９に例示してあるように、各逆流防止シャッタ−１２ab，１２bcの先端部に引っ張りバネ１２４を連結し、前述の定常時に、当該引っ張りバネ等の動力１２４により、冷却ファン１１ａ，１１ｂ，１１ｃの出力冷却風の方向と平行な状態に各逆流防止シャッタ−１２ab，１２bcを維持する構成にすれば、冷却ファン１１ａ，１１ｂ，１１ｃの出力冷却風の方向は、鉛直方向の下向きや鉛直方向の上向きに特定されず、任意の方向にすることができる。従って、冷却装置と被冷却対象の相対的位置関係を、鉛直方向の上下関係に特定されることなく、例えば水平方向や斜めの方向など任意の位置関係とすることができる。
【００４２】
なお、この発明の実施の形態４の場合も、前述のこの発明の実施の形態１の事例と同様に、中央の冷却ファン１１ｂが故障等により停止し、両端の冷却ファン１１ａ，１１ｃが作動中である場合は、前述のこの発明の実施の形態１の事例の場合と同じ原理、作用、動作をし、逆流防止シャッタ−１２ab，１２bcは、前述のこの発明の実施の形態１の事例の場合と実質的に同じ図９に示す状態となり、前述のこの発明の実施の形態１と同じ効果も得られる。
【００４３】
なお、この発明の実施の形態４を例示する図８および図９においては、前述の逆流防止シャッタ−１２ab，１２bcを冷却風と平行に維持する構成以外の構成は、前述の図１〜図４と同じであり、従って、図８および図９については、代表的な部品だけに図１〜図４と同一または相当部分に同一符号を付し、説明を割愛する。
【００４４】
前述の図１では放熱フィン２２及び通風ダクト１４は、機器本体等の被冷却対象２の外面に設けられているが、機器本体等の被冷却対象２の内面に設けられていてもよい。また、図１では機器本体等の被冷却対象２は密封されているが、開放されていてもよい。
【００４５】
図１では冷却ファン１１ａ，１１ｂ，１１ｃは、軸流式冷却ファンを使用しているが、風力を出力する機能を有していれば他の方式の冷却ファン、例えば遠心式冷却ファンを用いてもよい。
【００４６】
図１ではストッパー１３が設けられているが、冷却ファン１１ａ，・・・の個数が２個の場合、ストッパー１３を設ける必要ない。
【００４７】
図１では放熱フィン２２は、冷却ファン１１ａ・・・の出力側に設けられているが、冷却ファン１１ａ・・・の入力側に設けられていても良い。また、放熱フィン２２は、冷却ファン１１ａ・・・の出力側と入力側の両方に設けられていてもよい。
【００４８】
図１において、放熱フィン２２は電子機器等の非冷却対象における電源、ＣＰＵ、パワ−モジュ−ルなどの発熱源に熱的に結合されたヒートシンク上に設けられるが、発熱源の熱を強制空冷等により放出する機能を有していればヒートシンク以外のものが設けられていてもよい。
【００４９】
図６では逆流防止シャッタ−１２ab，１２bcは、引っ張りバネ等の動力１２４によって冷却ファン１１ａ，１１ｂ，１１ｃの出力冷却風の流れと平行な状態に維持されているが、逆流防止シャッタ−１２ab，１２bcを冷却ファン１１ａ，１１ｂ，１１ｃの出力冷却風の流れと平行な状態に維持する機能を有していれば引っ張りバネ１２４以外の動力を用いてもよい。
【００５０】
図１〜図９では、逆流防止シャッタ−１２ab，１２bcの前記出力冷却風に面する側面に棒状の突起部1211，1212を設けて当該側面に凹凸を形成してあるが、棒状の突起部を設けずに、例えば単なる窪みを設けるなど、当該側面の凹凸の形状は、当該側面に前記出力冷却風の風力が作用し易い形状であればどのような形状であってもよい。
【図面の簡単な説明】
【００５１】
【図１】この発明の実施の形態１を示す図で、夫々ほぼ平行な同方向の冷却風を生起する３台（複数台）の冷却ファンが電子機器等の被冷却対象の外箱内に取り付けられた状態の冷却装置の事例を正面側から見た斜視図である。
【図２】この発明の実施の形態１を示す図で、図１に示される３台の冷却ファンが全て動作している場合の逆流防止シャッタ−の状態を示す正面図である。
【図３】この発明の実施の形態１を示す図で、図１に示される３台の冷却ファンのうち中央の１台が停止し両側の２台が動作している場合の逆流防止シャッタ−の状態を示す正面図である。
【図４】この発明の実施の形態１を示す図で、図２に示される冷却装置を鉛直方向下側から見た平面図である。
【図５】この発明の実施の形態２を示す図で、冷却装置を鉛直方向下側から見た平面図である。
【図６】この発明の実施の形態３を示す図で、３台の冷却ファンが全て動作している場合の逆流防止シャッタ−の状態を示す正面図である。
【図７】この発明の実施の形態３を示す図で、３台の冷却ファンのうち中央の１台が停止し両側の２台が動作している場合の逆流防止シャッタ−の状態を示す正面図である。
【図８】この発明の実施の形態４を示す図で、３台の冷却ファンが全て動作している場合の逆流防止シャッタ−の状態を示す正面図である。
【図９】この発明の実施の形態４を示す図で、３台の冷却ファンのうち中央の１台が停止し両側の２台が動作している場合の逆流防止シャッタ−の状態を示す正面図である。
【図１０】従来装置の問題点およびこの発明の課題を説明するための正面図である。
【符号の説明】
【００５２】
１    冷却装置、
１１ａ，１１ｂ，１１ｃ    冷却ファン、
１２ab，１２bc    逆流防止シャッタ−、
１２１    矩形板状部、
１２２    軸、
１２３    ウェイト、
１２４    引っ張りバネ（動力）、
1211，1212    突起部（凹凸）、
１３    ストッパ−、
１４    通風ダクト、
１４１    冷却風路、
１４２    内壁面、
１４３    空気吸込口、
１４４    空気吹出口、
２    被冷却対象、
２１    外箱、
２２    放熱フィン、
２３    軸受、
θab    逆流防止シャッタ−１２abの傾斜角度、
θbc    逆流防止シャッタ−１２bcの傾斜角度、
ＣＡ    冷却風により冷却される冷却領域、
ＣＡＥ    冷却風上流側端、
Ｐｗ    空気の流れ（冷却風の風量）、
Ｒｗ    冷却風の逆流、
Ｗａ，Ｗｂ，Ｗｃ    出力冷却風。
【図１】
2006165312.tif 000003
【図２】
2006165312.tif 000004
【図３】
2006165312.tif 000005
【図４】
2006165312.tif 000006
【図５】
2006165312.tif 000007
【図６】
2006165312.tif 000008
【図７】
2006165312.tif 000009
【図８】
2006165312.tif 000010
【図９】
2006165312.tif 000011
【図１０】
2006165312.tif 000012